(57)【特許請求の範囲】
【請求項１】
板状の奥板部を備える被着脱部と、
発泡断熱材から成り、前記奥板部の一方の面を覆うように前記被着脱部に取付けられ、一部又は全部が複数の断熱片に分割され該断熱片ごとに前記被着脱部から取外し可能とされた断熱部と、
を有する断熱パネルであって、
前記断熱部は、前記一方の面から離間する方向に沿って複数層に分割され、それぞれの層が前記複数の断熱片に分割されている、
断熱パネル。
【請求項２】
板状の奥板部を備える被着脱部と、
発泡断熱材から成り、前記奥板部の一方の面を覆うように前記被着脱部に取付けられ、一部又は全部が複数の断熱片に分割され該断熱片ごとに前記被着脱部から取外し可能とされた断熱部と、
を有する断熱パネルであって、
前記奥板部は、該奥板部を板厚方向に貫通する貫通孔を備え、
前記断熱部のうち少なくとも前記貫通孔と重なる部分は、前記被着脱部から取外し可能な前記断熱片とされている、
断熱パネル。
【発明の詳細な説明】
【技術分野】
【０００１】
本発明は、断熱パネルに関する。
【背景技術】
【０００２】
従来、木枠の間に発泡断熱材を充填してなる断熱パネルが知られている（例えば、下記特許文献１参照）。
【先行技術文献】
【特許文献】
【０００３】
【特許文献１】特開２００２−９７７２９号公報
【発明の概要】
【発明が解決しようとする課題】
【０００４】
上記のような断熱パネルは、例えば壁内に配置して使用される。しかし、壁にスイッチやコンセントなどの埋め込み器具を取付ける場合、壁内に配置された断熱パネルの発泡断熱材が埋め込み器具と干渉してしまうことがある。この場合、埋め込み器具が設置される部分の発泡断熱材を取除いたり薄くしたりする必要があり、施工に手間が掛かる。
【０００５】
本発明は、上記事実を考慮し、埋め込み器具と発泡断熱材との干渉を防止できると共に、施工の手間が軽減された断熱パネルを得ることが目的である。
【課題を解決するための手段】
【０００６】
第１の態様に係る断熱パネルは、板状の奥板部を備える被着脱部と、発泡断熱材から成り、前記奥板部の一方の面を覆うように前記被着脱部に取付けられ、一部又は全部が複数の断熱片に分割され該断熱片ごとに前記被着脱部から取外し可能とされた断熱部と、を有する。
【０００７】
この断熱パネルは、板状の奥板部を備える被着脱部と、発泡断熱材から成る断熱部と、を有する。断熱部は、板状の奥板部の一方の面を覆うように被着脱部に取付けられている。この断熱パネルを壁内などに配置することで住宅の断熱性能を高めることができる。
【０００８】
さらに、断熱部は、その一部又は全部が複数の断熱片に分割され、断熱片ごとに被着脱部から取外し可能とされている。このため、例えば、壁内に断熱パネルを配置すると共に壁に埋め込み器具を取付ける場合、複数の断熱片のうち埋め込み器具が設置される部分の断熱片を取外すことで、埋め込み器具と発泡断熱材との干渉を防ぐことができる。複数に分割された断熱片を取外す作業は、分割されていない発泡断熱材の一部を取除いたり薄くしたりする作業と比較して容易であるので、この断熱パネルを用いると施工の手間が軽減される。
【０００９】
第２の態様に係る断熱パネルは、第１の態様において、前記断熱部は、略直方体形状とされた前記断熱片を含んで構成されている。
【００１０】
この断熱パネルでは、断熱部が、略直方体形状とされた断熱片を含んで構成されているので、発泡断熱材を個々の断熱片に分割する作業（切断加工）が容易であり、断熱パネルの製造コストが抑制される。
【００１１】
第３の態様に係る断熱パネルは、第１の態様〜第２の態様の何れかにおいて、前記被着脱部が、前記断熱部と同じ発泡断熱材により構成されている。
【００１２】
この断熱パネルでは、被着脱部が断熱部と同じ発泡断熱材により構成されているため、被着脱部及び断熱部を発泡断熱材の切断加工のみで製造することができる。
【００１３】
第４の態様に係る断熱パネルは、第１の態様〜第３の態様の何れかにおいて、前記断熱部は、前記一方の面から離間する方向に沿って複数層に分割され、それぞれの層が前記複数の断熱片に分割されている。
【００１４】
この断熱パネルでは、断熱部は、一方の面から離間する方向に沿って複数層に分割されている。そして、それぞれの層が複数の断熱片に分割されているので、埋め込み器具の壁内方向への寸法に合わせて、取外す断熱片の層を選択することができる。その結果、埋め込み器具と断熱部との干渉を防止すると共に、断熱性能の不要な低下を抑制することができる。
【００１５】
第５の態様に係る断熱パネルは、第１の態様〜第４の態様の何れかにおいて、前記奥板部は、該奥板部を板厚方向に貫通する貫通孔を備え、前記断熱部のうち少なくとも前記貫通孔と重なる部分は、前記被着脱部から取外し可能な前記断熱片とされている。
【００１６】
この断熱パネルでは、断熱部のうち貫通孔と重なる部分の断熱片を取外すことで、断熱パネルを貫通する孔を形成することができる。この孔には、例えば、換気扇などを設けることができるので、断熱パネルを配置する場所に換気扇などを取付ける場合における施工の手間が軽減される。
【００１７】
第６の態様に係る断熱パネルは、前記被着脱部は、前記奥板部の前記一方の面側に設けられ、前記断熱部を挟持する一対の側板部をさらに備える。
【００１８】
この断熱パネルでは、被着脱部が、奥板部の一方の面側に設けられた一対の側板部をさらに備える。そして、一対の側板部は断熱部を挟持するので、一対の側板部や複数の断熱片の相互間の摩擦力により、断熱部が被着脱部に取付けられた状態を保持することができる。
【発明の効果】
【００１９】
以上説明したように、本発明に係る断熱パネルは、埋め込み器具と発泡断熱材との干渉を防止できると共に、施工の手間が軽減されているという優れた効果を有する。
【図面の簡単な説明】
【００２０】
【図１】第１実施形態の断熱パネルを模式的に示す斜視図であり、（Ａ）はすべての断熱片が枠体に取付けられている状態を示し、（Ｂ）は１つの断熱片を枠体から取外した状態を示す。
【図２】断熱パネルを住宅の壁内に配置すると共に壁に埋め込み器具を取付けた状態を模式的に示す平断面図である。
【図３】第２実施形態の断熱パネルを模式的に示す斜視図である。
【図４】第３実施形態の断熱パネルを模式的に示す斜視図である。
【発明を実施するための形態】
【００２１】
〔第１実施形態〕
以下、図１及び図２を用いて、本発明に係る断熱パネルの第１実施形態について説明する。なお、以下の説明では、各図に示される矢印ＦＲを断熱パネル前方向とし、矢印ＵＰを断熱パネル上方向とし、矢印Ｗを断熱パネル幅方向（左右方向）とする。単に前後、左右、上下の方向を用いて説明する場合は、特に断りのない限り、断熱パネル前後方向の前後、断熱パネル左右方向の左右、断熱パネル上下方向の上下を示すものとする。
【００２２】
図１には、第１実施形態の断熱パネル１０が示されている。この図に示されるように、断熱パネル１０は、被着脱部としての枠体１２と、枠体１２に取付けられた断熱部１４と、を有する。
【００２３】
枠体１２は、平面視で略コ字形（略Ｕ字形）とされており、上下方向及び左右方向に延在する平板状の奥板部１６と、奥板部１６の幅方向両端から前方向に延在する一対の側板部１８と、を備える。また、枠体１２は、例えば、木製とされ、奥板部１６及び一対の側板部１８をそれぞれ構成する３つの板材を接合することで形成されている。
【００２４】
枠体１２の奥板部１６と一対の側板部１８とに囲まれた空間（略直方体の空間）を埋めるように、発泡断熱材から成る断熱部１４が配置されている。換言すると、断熱部１４は、奥板部１６の手前の面１６Ａ（一方の面、図２参照）を覆うように、枠体１２に取付けられている。断熱部１４は全体として略直方体形状とされ、一対の側板部１８の前側端面１８Ａと、断熱部１４の前側面１４Ａとの間には、ほぼ段差がなく略平面（所謂面一）とされている。発泡断熱材としては、例えば、硬質ウレタンフォームが挙げられる。
【００２５】
また、断熱部１４は、それぞれ略直方体形状とされた複数の断熱片２０が集まって構成されている。複数の断熱片２０は、上下左右に隣接するように配置され、全体として断熱部１４を構成している。換言すると、断熱部１４は、上下方向及び前後方向に延びる複数の平面、及び左右方向及び前後方向に延びる複数の平面を境界面として、複数の断熱片２０に分割されている。これにより、断熱片２０は、正面視で所謂碁盤の目状に配置されている。
【００２６】
断熱片２０は、それぞれ、奥板部１６側の面２０Ｂ（図２参照）に図示しない接着剤が塗布され、奥板部１６の手前の面１６Ａに接着されている。接着剤による接着力は、施工者により奥板部１６から断熱片２０を容易に剥がすことができる程度とされている。
【００２７】
＜作用・効果＞
次に、第１実施形態の断熱パネル１０の作用及び効果について説明する。
本実施形態の断熱パネル１０は、平板状の奥板部１６を備える枠体１２と、発泡断熱材から成る断熱部１４と、を有する。断熱部１４は、平板状の奥板部１６の一方の面２０Ｂを覆うように枠体１２に取付けられている。図２に示されるように、この断熱パネル１０を壁３０内などに配置することで住宅の断熱性能を高めることができる。
【００２８】
さらに、断熱部１４は、複数の断熱片２０に分割され、断熱片２０ごとに枠体１２から取外し可能とされている。このため、例えば図２に示されるように、壁３０内に断熱パネル１０を配置すると共に壁３０に埋め込み器具４０を取付ける場合、複数の断熱片２０のうち埋め込み器具４０が設置される部分の断熱片２０を取外すことで、埋め込み器具４０と発泡断熱材からなる断熱部１４の干渉を防ぐことができる。複数に分割された断熱片２０を取外す作業は、分割されていない発泡断熱材の一部を取除いたり薄くしたりする作業と比較して容易であるので、この断熱パネル１０を用いると施工の手間が軽減される。
【００２９】
すなわち、本実施形態では、図１（Ｂ）に示されるように、断熱部１４を構成する複数の断熱片２０は、容易に取外すことができる。複数の断熱片２０のうちどの断熱片２０を取外すかは施工者が選択することができるため、施工現場において、取外しが必要な部分が判明してから断熱片２０を取外すことができる。図２には、断熱パネル１０を住宅の壁３０内に配置すると共に壁３０に埋め込み器具４０を取付けた状態が示されている。この図に示されるように、壁３０内には、壁３０と平行するように断熱パネル１０が配置されている。断熱パネル１０の枠体１２は、壁３０（内壁）等を取付けるための下地材となる。壁３０の表面を構成する石膏ボード３２と断熱パネル１０とは、配線などのための空間３４を介しつつも近接して配置され、石膏ボード３２を貫通するように埋め込み器具４０が壁３０に取付けられている。埋め込み器具４０の深さ方向の寸法は、断熱パネル１０と干渉する大きさとされており、埋め込み器具４０が配置される部分の断熱片２０が取外された状態となっている。
【００３０】
また、本実施形態では、断熱部１４は、それぞれ略直方体形状とされた複数の断熱片２０が集まって構成されているので、発泡断熱材を個々の断熱片２０に分割する作業（切断加工）が容易であり、断熱パネル１０の製造コストを抑えることができる。また、複数の断熱片２０は、正面視で碁盤の目状に配置されていることから断熱片２０の配置が容易であり、断熱パネル１０の製造コストがより一層抑制される。
【００３１】
また、本実施形態では、枠体１２が一対の側板部１８を備えている。このため、断熱部１４の左右から断熱部１４を支えることができ、その結果、断熱部１４の枠体１２への取付け状態が安定する。また、本実施形態では、枠体１２が木製とされているので、枠体１２を下地材として利用することができ、別途下地材を設定する必要がない。
【００３２】
〔第２実施形態〕
以下、図３を用いて、本発明に係る断熱パネルの第２実施形態について説明する。なお、第１実施形態と同様の構成については同じ符号を付し、説明を省略する。
【００３３】
第２実施形態の断熱パネル１１０は、断熱部１１４の構成が第１実施形態の断熱部１４と異なる。図３に示されるように、断熱部１１４は、その前後方向の中間において、上下方向及び左右方向に延びる平面を境界面として前後に分割されている。これにより、複数の断熱片２０は、前後の２段構成とされ、前側の複数の第１断熱片２０Ａと、後側（奥板部１６側）の第２断熱片２０Ｂと、により構成されている。換言すると、断熱部１１４は、前後の２層構造とされ、前側の第１断熱部１４Ａと後側の第２断熱部１４Ｂとにより構成されている。そして、１断熱部１４Ａ及び第２断熱部１４Ｂは、それぞれ、正面視で碁盤の目状に配置された第１断熱片２０Ａ及び第２断熱片２０Ｂから構成されている。
【００３４】
互いに隣接する第１断熱片２０Ａと第２断熱片２０Ｂとは、接着力の弱い接着剤で接着されている。これにより、基本的には、各断熱片２０が枠体１２に取付けられた状態が保持されている。そして、施工者の手によって、互いに隣接する第１断熱片２０Ａ及び第２断熱片２０Ｂのうち、前側に位置する第１断熱片２０Ａを枠体１２から取外すことができると共に、互いに隣接する第１断熱片２０Ａ及び第２断熱片２０Ｂの両方を取外すこともできる。
【００３５】
＜作用・効果＞
次に、第２実施形態の断熱パネル１１０の作用及び効果について説明する。
本実施形態の断熱パネル１１０は、断熱部１１４は、前側の第１断熱部１４Ａと後側の第２断熱部１４Ｂとの前後の２層構造とされ、第１断熱部１４Ａ及び第２断熱部１４Ｂは、それぞれ、正面視で碁盤の目状に配置された第１断熱片２０Ａ及び第２断熱片２０Ｂから構成されている。このため、埋め込み器具４０の壁３０内方向への寸法に合わせて、第１断熱部１４Ａの第１断熱片２０Ａだけ取外すか、第１断熱部１４Ａ及び第２断熱部１４Ｂの第１断熱片２０Ａ及び第２断熱片２０Ｂの両方を取外すかを選択できる。その結果、２層構造とされていない態様と比較して、例えばサイズの小さな埋め込み器具４０を取付けるときに第２断熱片２０Ｂを断熱パネル１０に取付けた状態のままにすることができ、断熱性能の不要な低下を抑制することができる。
〔第３実施形態〕
以下、図４を用いて、本発明に係る断熱パネルの第３実施形態について説明する。なお、第１実施形態と同様の構成については同じ符号を付し、説明を省略する。
【００３６】
第３実施形態の断熱パネル２１０は、断熱部２１４の構成が第１実施形態の断熱部１４と異なる。図４に示されるように、断熱部２１４は、略円柱形の断熱片２２０を含んで構成されている。そして、枠体１２の奥板部１６における断熱片２２０と正面視で重なる部分には、図示しない円形の貫通孔が形成されている。
【００３７】
なお、断熱パネル２１０は、下部において、第１実施形態の断熱パネル１０と同様の断熱部２１４Ｂを備える。他方、断熱部２１４のうち断熱部２１４Ｂ以外の部分（断熱部２１４Ａ）は、上述した断熱片２２０と、断熱片２２０を取囲む断熱片２２２と、を備える。断熱片２２２は、枠体１２に取外し不能に接着されて取付けられていてもよいし、他の断熱片２２０、２０と同様に枠体１２から取外し可能とされていてもよい。
【００３８】
＜作用・効果＞
次に、第３実施形態の断熱パネル２１０の作用及び効果について説明する。
本実施形態の断熱パネル２１０では、断熱片２２０は枠体１２から取外し可能とされており、さらに、枠体１２の奥板部１６における断熱片２２０と正面視で重なる部分には、貫通孔が形成されている。このため、断熱片２２０を取外した状態では、断熱パネル２１０を前後方向に貫通する円形の孔が形成される。この孔には、例えば、換気扇（図示省略）を設けることができる。このように、断熱パネル２１０によれば、断熱パネル２１０を配置する場所に換気扇などを取付ける場合において、施工の手間が軽減される。
【００３９】
〔上記実施形態の補足説明〕
なお、上述した各実施形態では、被着脱部としての枠体１２の奥板部１６の手前の面１６Ａと断熱片２０とが接着されていたが、本発明はこれに限られない。例えば、断熱片２０が被着脱部に取付けられた状態が保持されるのであれば、接着されていなくてもよい。すなわち、一対の側板部１８や複数の断熱片２０の相互間の摩擦力により、取付けられた状態が保持されていてもよい（すなわち、一対の側板部１８が断熱部１４を挟持しているものであってもよい）。また、それぞれの断熱片２０を個別に取外すことができるのであれば、隣接する断熱片２０が互いに接着されていてもよい。
【００４０】
また、上述した第１実施形態及び第２実施形態では、複数の断熱片２０が正面視で碁盤の目状に配置されていたが、本発明はこれに限られない。例えば、上下方向に隣接する断熱片を、断熱片の横方向の寸法の半分の長さ分ずらして配置してもよい（所謂千鳥状に配置してもよい）。
【００４１】
また、上述した第１実施形態及び第２実施形態では、断熱片２０の形状が直方体形状とされていたが、本発明はこれに限られない。例えば、高さ方向を断熱パネル前後方向に沿って配置された三角柱形状とされていてもよいし、六角柱形状とされていてもよい。
【００４２】
また、上述した第２実施形態では、断熱部１１４が前後の２層構造とされていたが、本発明はこれに限られず、３層以上の構造であってもよい。
【００４３】
また、上記各実施形態では、被着脱部としての枠体１２が、奥板部１６と一対の側板部１８とを備えていたが、本発明の被着脱部はこれに限られない。例えば、被着脱部は、一対の側板部１８を備えず、奥板部１６のみで構成されていてもよい。また、被着脱部が、断熱部１４の左右に配置される一対の側板部１８だけでなく、断熱部１４の上下に配置される一対の上下板部（図示なし）を備えていてもよい。
【００４４】
また、上記各実施形態では、被着脱部としての枠体１２が木製とされていたが、本発明の被着脱部はこれに限られない。被着脱部を構成する材料は特に限定されず、例えば、被着脱部が、断熱部と同じ発泡断熱材により構成されていてもよい。この場合、被着脱部及び断熱部を発泡断熱材の切断加工のみで製造することができる。
【００４５】
また、断熱パネルのサイズは特に限定されない。例えば、住宅の柱と柱との間に丁度収まるように、上下方向の寸法が約２．５ｍ、左右方向の寸法が約１．０ｍに設定されていてもよいし、より小さなサイズとされていてもよい。
【００４６】
また、図２においては、断熱パネル１０を壁３０内に配置する態様を説明したが、本発明はこれに限られず、本発明の断熱パネルは、天井内や床内に配置されるものであってもよい。埋め込み器具としては、埋め込み型の照明（ダウンライト）などが考えられる。
【符号の説明】
【００４７】
１０   断熱パネル
１２   枠体（被着脱部）
１４   断熱部
１６   奥板部
１８   側板部
２０   断熱片
１１０ 断熱パネル
１１４ 断熱部
２０Ａ 断熱片
２０Ｂ 断熱片
２１０ 断熱パネル
２１４ 断熱部
２２０ 断熱片
【図１】
0006456775.tif 000002
【図２】
0006456775.tif 000003
【図３】
0006456775.tif 000004
【図４】
0006456775.tif 000005